(57)【特許請求の範囲】
【請求項１】
略円筒形の軸状とされ、電池または該電池と略同一形状で外部のＡＣアダプタと接続された接点部が収納される電源収納部と、
上記電源収納部から延長されるようにして上記電源収納部と同一の中心軸に沿って直線的に配され、上記略円筒形の軸の周面の一部が内側に切除されることにより、上記電源収納部より小なる断面積を有すると共に、配線基板が収納される基板収納部と、
上記電源収納部と上記基板収納部との間に設けられ、薄板状でかつ不撓性を有するホログラム画像もしくはホログラフィックステレオグラム画像が記録された記録媒体または該記録媒体が保持されたホルダーの一部が、ホログラム記録時の参照光の入射角度に対応した所定の角度で挿入離脱可能とされた切り込み部と、
上記基板収納部から延長されるようにして、上記電源収納部と同一の中心軸に沿って直線的に配され、上記基板収納部に対して上記電源収納部とは反対の側に設けられると共に、上記切り込み部に向かって光を照射する光源を備える光源収納部と
を備え、
上記電源収納部の端部と、上記切り込み部に固定された上記記録媒体の端部とを被設置場所に接触するように置いた状態で上記記録媒体の記録画像を表示する照明装置。
【請求項２】
上記切り込み部の所定の角度は、上記光源と上記記録媒体の中心とを結ぶ線と、上記記録媒体の垂線との角度を所定の角度に保つものである請求項１に記載の照明装置。
【請求項３】
上記切り込み部と上記電源収納部の端部との距離は、上記記録媒体の一辺の長さと略等しい請求項１または２に記載の照明装置。
【請求項４】
上記光源を点灯、消灯するためのセンサースイッチが設けられ、
上記光源は、上記切り込み部に上記記録媒体または該記録媒体が保持されたホルダーを挿入して上記センサースイッチに当接させた状態で点灯し、
上記切り込み部から上記記録媒体または該記録媒体が保持されたホルダーを離脱して上記センサースイッチから離間させた状態で消灯する請求項１ないし３のいずれか１項に記載の照明装置。
【請求項５】
上記光源を手動操作によって点灯、消灯するための手動制御スイッチをさらに備える請求項１ないし４のいずれか１項に記載の照明装置。
【請求項６】
上記センサースイッチと上記手動制御スイッチの両方が点灯状態になったときのみ上記光源が点灯するように制御される請求項５に記載の照明装置。
【請求項７】
上記光源の明るさを調整する調整器が上記基板収納部に収納された上記配線基板上に設けられ、上記調整器を上記基板収納部の外部から調整するための穴が設けられた請求項１ないし６のいずれか１項に記載の照明装置。
【請求項８】
上記光源は、上記電源収納部と上記基板収納部と上記光源収納部とを結ぶ線に対して垂直な軸を中心に回転可能とされ、
上記記録媒体を照明する位置の他に少なくとも一つの位置で光照射方向を固定できる請求項１ないし７のいずれか１項に記載の照明装置。
【発明の詳細な説明】
【技術分野】
【０００１】
この発明は、例えば作製されたホログラムまたはホログラフィックステレオグラムの再生に対して適用される照明装置に関する。
【背景技術】
【０００２】
異なる視点から見た被写体の２次元画像を原画として、３次元画像を再生するホログラムを合成することが可能である。ホログラフィックステレオグラムは、例えば、被写体を異なる観察点から順次撮影することにより得られた多数の画像を原画として、これらを１枚のホログラム用記録媒体に短冊状またはドット状の要素ホログラムとして順次記録することにより作製される。
【０００３】
例えば、横方向のみに視差情報を持つホログラフィックステレオグラムは、図１１に示すように、被写体１００を横方向の異なる観察点から順次撮影することにより複数の視差画像１０１ａ〜１０１ｅを順次得る。視差画像列（１０１ａ〜１０１ｅ）のそれぞれを例えばホログラム用記録媒体１０２上で線焦点を結ぶようにすると共に、適切な角度で参照光を使用して記録する。すなわち、図１２に示すように、視差画像列Ｄ１をそれぞれ視差方向に短冊状に分割して、異なる視差画像における短冊状のデータを再構成する、いわゆるslice and Diceの画像処理を行い、ホログラム画像Ｄ２を生成する。ホログラム画像Ｄ２は、画像記録装置により、短冊状の要素ホログラムがホログラム用記録媒体１０２に順次記録されることにより作製される。
【０００４】
このホログラフィックステレオグラムでは、横方向の異なる観察点から順次撮影することにより得られた画像情報が短冊状の要素ホログラムとして横方向に順次記録されているので、このホログラフィックステレオグラムを観察者が両目で見たとき、その左右の目にそれぞれ写る２次元画像は若干異なるものとなる。これにより、観察者は視差を感じることとなり、３次元画像が再生されることとなる。
【０００５】
ところで、通常のホログラムにおいては、所定の方向から点光源によって光を照射することで、高画質のホログラム画像を鑑賞することができ、またこのような点光源以外にも、太陽光や家庭の白熱電球を直接照らすことで、ホログラム画像をきれいに鑑賞することができる。しかしながら、曇天下の屋外や蛍光灯下で観察した場合には、画像がぼやけてしまい、また複数の白熱電球で照らした場合には、複数の像が見えてしまったりする。この他、ホログラムは、光源との相対的な位置関係によっては高画質のホログラム画像を鑑賞できない場合もある。このように、ホログラムは、様々な観察条件によって画質が変わってしまうため、常に最適な観察条件下での鑑賞を可能にするように、光源とホログラムとを所定の位置関係に固定するビューア、すなわちホログラム画像を再生するための光源を有する照明装置が提案されている。これは、複数の要素ホログラムからなるホログラフィックステレオグラム画像を鑑賞する場合でも同様である。
【０００６】
照明装置としては、特定の場所に限定されることなく、あらゆる場所での鑑賞や設置を行えるように、使用する照明装置が携帯性に優れ、持ち運びが容易にできるように小型であることが望ましい。また、ホログラムまたはホログラフィックステレオグラムを鑑賞する場合、持ち運びの最中に、ホログラム等がセットされる部分と光源との位置関係がずれてしまう虞がある。これらの位置関係がずれると、良好に画像が再生されないため、常に高画質のホログラムまたはホログラフィックステレオグラムを鑑賞するには、ホログラム等と光源との相対的な位置関係を所定の位置関係、具体的には常に最適な観察条件とされる位置関係に保つことも必要である。
【０００７】
かかる照明装置として、図１３に示すような照明装置１が下記の特許文献１に記載されている。
【０００８】
【特許文献１】特開２００３−２２９００４号公報
【０００９】
この照明装置１は、ベース部２と、ベース部２に設けられたアーム部３と、アーム部３の先端に取り付けられたランプ部４とからなる。アーム部３は、伸縮自在の２本のロッド３ａ，３ｂが連結部６で平行に保持されている。ランプ部４は、光源４ａと光源４ａを覆うセード４ｂとを備えている。連結部材６には、クリップ７が取り付けられ、クリップ７によってホログラムカード８が保持される。ホログラムカード８は、基材８ａの一面にホログラフィックステレオグラム８ｂが貼り付けられたものである。
【発明の開示】
【発明が解決しようとする課題】
【００１０】
かかる照明装置は、ベース部２が存在し、また、ランプ部４が嵩張り、携帯性にすぐれたものとは言えなかった。さらに、特許文献１には、ペン状のアーム部をベース部に斜めに設ける構成の照明装置も記載されている。しかしながら、保持用のベース部を有し、また、ペン状のアーム部から光源部が突出した構成であり、携帯性が良好とは言えないものであった。
【００１１】
したがって、この発明の目的は、特許文献１に記載のものに比してベース部を不要とし、光源部が突出しないことにより携帯性が良好とされたホログラム鑑賞用の照明装置を提供することにある。
【課題を解決するための手段】
【００１２】
上述した課題を解決するために、この発明は、略円筒形の軸状とされ、電池または該電池と略同一形状で外部のＡＣアダプタと接続された接点部が収納される電源収納部と、
電源収納部から延長されるようにして電源収納部と同一の中心軸に沿って直線的に配され、略円筒形の軸の周面の一部が内側に切除されることにより、電源収納部より小なる断面積を有すると共に、配線基板が収納される基板収納部と、
電源収納部と基板収納部との間に設けられ、薄板状でかつ不撓性を有するホログラム画像もしくはホログラフィックステレオグラム画像が記録された記録媒体または該記録媒体が保持されたホルダーの一部が、ホログラム記録時の参照光の入射角度に対応した所定の角度で挿入離脱可能とされた切り込み部と、
基板収納部から延長されるようにして、電源収納部と同一の中心軸に沿って直線的に配され、基板収納部に対して電源収納部とは反対の側に設けられると共に、切り込み部に向かって光を照射する光源を備える光源収納部と
を備え、
電源収納部の端部と、切り込み部に固定された記録媒体の端部とを被設置場所に接触するように置いた状態で記録媒体の記録画像を表示する照明装置である。
【発明の効果】
【００１３】
この発明によれば、光源収納部が突出せず、また、電源収納部の端部と記録媒体の端部とを被設置場所に接触するように置いた状態で記録媒体の記録画像を表示するために、ベース部を不要とでき、全体として軸状の形状となり、携帯性が優れたものとできる。さらに、照明目的で使わない場合は、ペンライトとして使用できるような工夫も施すことができる。また、この発明では、切り込み部にホログラムまたはホログラムを保持するホルダーを挿入するという非常に簡易な方法で、光源と照射対象との相対的位置関係を所定の位置関係に保てるため、誰でも簡易に照射対象に対して所定の条件、例えば鑑賞に最適な条件で光源からの光を当てることできる。
【発明を実施するための最良の形態】
【００１４】
以下、この発明の一実施形態について、図面を参照しながら詳細に説明する。なお、この発明は以下の例に限定されるものではなく、この発明の要旨を逸脱しない範囲で、任意に変更が可能であることは言うまでもない。
【００１５】
この発明に係る照明装置の一実施の形態においては、ホログラム画像又はホログラフィックステレオグラム画像が記録された記録媒体または該記録媒体が収納されたホルダーの一部が挿入離脱可能とされている。図１は、記録媒体またはホルダーが挿入されていない状態を示し、図２は、記録媒体またはホルダーが挿入されている状態を示す。図１Ａが側面図、図１Ｂが背面図である。また、図２Ａが平面図、図２Ｂが正面図、図２Ｃが図２ＢのＲ−Ｒ線断面図である。なお、図２Ａでは、簡単のため記録媒体またはホルダーの図示が省略されている。
【００１６】
一実施の形態の照明装置は、略円筒状の電源収納部１１と、この電源収納部１１から延長されると共に、円筒状の軸の一部が内側に切除されて略半円状の断面を有し、配線基板が収納される基板収納部１２と、基板収納部１２の先端部に設けられ、電源収納部１１よりやや大きい断面積を有する光源収納部１３とを備えている。これらの電源収納部１１、基板収納部１２および光源収納部１３は、例えば合成樹脂の成形品であり、これらが同一中心軸上に直線的に配され、全体として軸状の形状を有する。
【００１７】
電源収納部１１の基板収納部１２に近い側に切り込み部１４が形成されている。切り込み部１４は、基板収納部１２の凹部が形成された前面から背面に向かって光源収納部１３に向かって斜めに円筒状のケース周面が切り欠かれたものである。
【００１８】
電源収納部１１には、図２Ｃに示すように、直列接続された２本の円筒状の電池が収納される。また、電池に代えて、２本の直列接続された電池形状を有し、両端面にそれぞれ接点を有し、外部のＡＣアダプタからの直流電圧を供給できる接点部を電源収納部１１に挿入してもよい。この接点部を使用することによって、電池の消耗に従って照明が暗くなるということを防止できる。
【００１９】
基板収納部１２内にその直径よりやや小さい短冊状の配線基板が収納され、ネジ１５によって固定されている。配線基板上には、光源収納部１３に収納された光源例えばＬＥＤ(Light Emitting Diode)の制御回路が設けられている。光源としては、ホログラムの記録時のレーザ波長（例えば青：４７６ｎｍ、緑：５３２ｎｍ、赤：６４７ｎｍ）と等しい波長のものが好ましい。例えば赤発光のＬＥＤまたはレーザ、緑発光のＬＥＤまたはレーザおよび青発光のＬＥＤまたはレーザがΔ状に接近して配置された光源を使用できる。勿論、光源としては、他の種類の光源を使用できる。例えば三原色の３個の波長の光を放射する蛍光体励起方式の白色ＬＥＤ、青紫色または紫外線ＬＥＤによる３波長蛍光体励起方式の白色ＬＥＤ等を使用することができる。さらに、クリプトン光源、キセノン光源、ハロゲン光源等も使用できる。
【００２０】
一実施の形態では、図２Ｄに概略的に示すように、赤緑青の３個のＬＥＤ１６Ｒ，１６Ｇ，１６ＢをΔ状に配置した光源１６を使用している。これらのＬＥＤ間の距離は、なるべく近いことが好ましい。具体的には、光源１６と切り込み部１４との距離の１／１０以下であることが各色の像のずれを防止するために望ましい。図１Ｂに示すように、基板収納部１２の背面には、基板上の可変抵抗器を調整して、各色のＬＥＤの発光量を外部から調整可能とするための小穴１７が設けられている。各ＬＥＤの発光量を調整して三原色の色バランスを適切なものに調整できる。さらに、図１Ｂに示すように、基板収納部１２の背面には、光源の点灯、消灯を切り替える手動制御のスライドスイッチ１８が設けられている。
【００２１】
また、切り込み部１４にホログラムカード１９または後述するホログラム保持用のホルダーを挿入すると、オンするセンサースイッチが設けられている。一実施の形態では、スライドスイッチ１８とセンサースイッチの両方がオンする場合のみ、光源１６が点灯するように制御される。
【００２２】
記録媒体保持部としての切り込み部１４は、記録媒体としてのホログラムカード１９を挟み込めるような幅の溝を有する。切り込み部１４の溝には、ホログラムカード１９の一部が挿入され、固定される。
【００２３】
図２に示すように、切り込み部１４にホログラムカード１９がセットされる。ホログラムカード１９は、傾斜してセットされた場合であっても、視覚的には撓まずその形状を保持しうる不撓性を有する、例えばカード状を呈するプラスチック等の薄板からなる基材の一面にホログラフィックステレオグラム２０が貼り付けされたものである。
【００２４】
ホログラフィックステレオグラム２０は、図３に示すように、具体的にはフィルムベース材２１上に光重合型フォトポリマからなるフォトポリマ層２２が形成されると共に、当該フォトポリマ層２２上にカバーシート２３が被着されることにより形成された、いわゆるフィルム塗布タイプの記録媒体であり、この記録媒体に視差情報を持たせた複数の画像情報が記録される。
【００２５】
光重合型フォトポリマは、初期状態では、図４Ａに示すように、モノマＭがマトリクスポリマに均一に分散している。これに対して、図４Ｂに示すように、１０〜４００ｍＪ／ｃｍ2程度のパワーの光ＬＡを照射すると、露光部においてモノマＭが重合する。そして、ポリマ化するにつれて周囲からモノマＭが移動してモノマＭの濃度が場所によって変化し、これにより、屈折率変調が生じる。この後、図４Ｃに示すように、１０００ｍＪ／ｃｍ2程度のパワーの紫外線または可視光ＬＢを全面に照射することにより、モノマＭの重合が完了する。このように、光重合型フォトポリマは、入射された光に応じて屈折率が変化するので、参照光と物体光との干渉によって生じる干渉縞を、屈折率の変化として記録することができる。
【００２６】
なお、本実施の形態においては、ホログラム用記録媒体に視差情報を持たせた複数の画像情報が記録されているホログラフィックステレオグラム２０をホログラムカード１９に貼り付けているが、この発明はこれに限定されるものではなく、ホログラム用記録媒体に対してホログラム画像を記録したものや、また複数の被写体に対応する２次元または３次元像の形状の変化を、観察視点を移動することにより観察することができるような、いわゆるモーフィング処理が施されたホログラフィックステレオグラム画像を記録したものをホログラムカード１９の基材に貼り付けてもよい。さらに、ガラス等を使用することによって基材に貼り付けることも必要なくなる。
【００２７】
切り込み部１４に上述したホログラムカード１９の一部を挟み込んでセットし、光源収納部１３内の光源（３個のＬＥＤ）１６からの光をホログラムカード１９に照射することによって、ホログラフィックステレオグラム画像が再生され、これを鑑賞することができる。
【００２８】
上述したホログラムカード１９を照射対象として切り込み部１４にセットした場合、図２Ｃに示すように、光源１６とホログラムカード１９の中心とを結ぶ線Ｂと、ホログラムカード１９の垂線Ｃとの角度θがホログラムの観察条件にとって最も良い角度となるように、切り込み部１４の切り込みの角度が設定されている。この角度θは、ホログラフィックステレオグラム２０の記録時の参照レーザ光の入射角度に対応している。例えば反射型ホログラムでは、θが４０〜５５度となるようにホログラムカード１９が取り付けられることによって、高画質なホログラフィックステレオグラム画像を鑑賞することができる。
【００２９】
このように、ホログラムカード１９を切り込み部１４の溝に挟み込んで固定するという簡易な方法で照射対象たるホログラムカード１９をセットできる。さらに、予めホログラムカード１９が光源１６との間で最適な観察条件を有する位置関係となるように切り込み部１４の溝の角度が規定されている。したがって、光源１６を点灯させて光を当てるだけで、誰でも容易に高画質のホログラフィックステレオグラム画像を鑑賞することができる。
【００３０】
この発明の一実施の形態では、ホログラムカード１９を保持するために、切り込み部１４を使用しているため、ホログラムカード１９をセットしていない状態では、ホログラムカードを保持する保持部が軸表面から突出しないようにできる。また、基板収納部１２の前面が内側に切除されているので、光源１６からの光が遮られず、光源収納部１３の位置を背面側に位置させることができ、光源収納部１３が前面から突出する量を小さくできる。したがって、照明装置を全体としてペンライトのような形状にすることができ、装置自体の意匠性を高め、スリムで携帯性に優れたデザインを実現することができる。
【００３１】
ホログラムカード１９が基材にホログラフィックステレオグラム２０を貼り付けた構成を有しているが、照明対象が薄いカードであると不撓性が不足する場合も起こりうる。この場合、図５に示すように、照明対象を所定の位置に収納できるホルダー２５を別途備えることも可能である。
【００３２】
ホルダー２５は、全体として正方形の板状のもので、その中央部を含んでホログラムカード収納用の凹部２６が形成されている。凹部２６には、対称的にカード抑え２７ａおよび２７ｂが形成されている。凹部２６にホログラムカードが図に向かって上下方向にスライドして挿入され、カード抑え２７ａおよび２７ｂによって保持される。さらに、切り込み部１４に挿入される肉薄とされた半円状の係止部２８ａ，２８ｂと、ホログラムカードの着脱時に指を挿入可能とするための半円状の切欠き２９とが形成されている。ホルダー２５は、切り込み部１４に対して縦横の何れの向きでもセットすることが可能とされている。
【００３３】
このようなホルダー２５を用いる場合、照明装置の保持部と電源収納部側の端部との距離と、一辺が略同一であるようにすると、安定にディスプレイすることが可能である。図６に示すように示す例では、照明対象が例えばトレーディングカードのように縦横比が１：１でないものの場合、縦向きでも横向きでも安定してディスプレイできるよう、外形はほぼ正方形形状をしており、内部にはそのカードを挿入固定できるような溝が切られている。
【００３４】
上述したこの発明の一実施の形態は、切り込み部１４にホログラムカード１９またはホルダー２５が挿入された状態で、光源１６が点灯とされ、ホログラムカード１９またはホルダー２５に保持されたホログラムが照明され、ホログラムを鑑賞することができる。電源収納部１１を手で持ってホログラムを鑑賞することが可能であるが、図６に示すように、ホルダー２５の先端と、電源収納部１１側の端部とが被設置場所に接触するように、照明装置が置かれ、手で持たずにホログラムを表示することができる。図６の例では、ホルダー２５にホログラム３０が挿入された場合を示し、また、電池の代わりに接点部が電源収納部１１に挿入され、接点部とＡＣアダプタとを接続するための線３１が示されている。
【００３５】
図２Ｃにおいて、電源収納部１１側の端部とホログラムカード１９の端部とを結ぶ二点鎖線Ｄが被設置場所の表面を表している。切り込み部１４から端部までの長さと、ホログラムカード１９の１辺の長さと、端部およびホログラムカード１９の端部を結ぶ線Ｄの長さとがほぼ等しく、横からみた場合に正三角形を構成することが好ましい。その理由は、図６に示すように、机の上等に設置した場合に、設置状態が安定となるからである。
【００３６】
図７乃至図１０は、この発明の他の実施の形態を説明するものである。他の実施の形態では、光源４１が収納された光源収納部４２が軸４３を中心として回転自在に設けられている。軸４３は、軸の延長方向と直交するように、平行する支持板間に設けられている。図７、図８および図９は、他の実施の形態の３種類の動作モードを示している。図７Ａ、図８Ａ、図９Ａが側面図であり、図７Ｂ、図８Ｂ、図９Ｂが背面図である。
【００３７】
図７に示す第１の動作モードは、光源４１の照射方向が外側を向くように、光源収納部４２を回転させた状態で保持し、照明装置を通常のペンライトとして使用する動作モードである。この回転位置を保持するために、図示しない回転式板ばねが支持板間の切り欠き部に設けられて、意図的に向きを変えない限り、この位置で固定される。
【００３８】
図８は、光源収納部４２を手で回して、照明対象例えばホルダー２５を照明する第２の動作モードを示す。上述した回転式板ばねは、この回転位置でも安定して光源収納部４２を固定する。
【００３９】
図９は、光源収納部４２をさらに手で回して、光源４１の照射方向が下側を向くように、光源収納部４２が支持板間の切り欠き部に収まった第３の動作モードを示す。第３の動作モードは不使用状態であり、光源４１が消灯される。
【００４０】
他の実施の形態は、ホログラム鑑賞時の照明機能に加えてペンライトのような外部照明用の機能を持つことができる。光源の消灯／点灯を切り替えるためのスイッチとしては、手動操作のもの以外に、光源収納部４２の回転位置に応じて自動的に制御されるセンサースイッチを使用することができる。
【００４１】
図１０は、かかるセンサースイッチの一例を示す。軸４３を中心として回転する光源収納部４２の側面に作動突起４４と、作動突起４４が接触すると、接触状態から非接触状態（開放状態）となる接点４５ａおよび４５ｂが設けられる。図８に示すように、ホログラムを照射する第２の動作モードでは、図１０Ａに示すように、接点４５ａおよび４５ｂが接触している。図９に示すように、光源を使用しない第３の動作モードでは、図１０Ｂに示すように、作動突起４４によって接点４５ａおよび４５ｂの接触状態が開放とされ、光源４１に対する電源の供給が断たれる。回路的な表記は、図１０Ｃに示すものとなる。
【００４２】
かかるセンサースイッチを使用することによって、手に持たずに机等の上において表示を行う場合、鑑賞時のみホログラムを照明することができ、電池や電源電力の消耗を抑えることができる。
【図面の簡単な説明】
【００４３】
【図１】この発明に係る照明装置の一実施の形態の側面図および背面図である。
【図２】この発明に係る照明装置の一実施の形態において、照明対象を挿入した状態の側面図および背面図である。
【図３】ホログラム用記録媒体の説明に用いる断面図である。
【図４】ホログラム用記録媒体の感光プロセスを説明するための略線図である。
【図５】ホログラムを保持するためのホルダーの一例の平面図である。
【図６】この発明に係る照明装置の一実施の形態の使用状態を示す斜視図である。
【図７】この発明に係る照明装置の他の実施の形態の第１の動作モードの側面図および背面図である。
【図８】この発明に係る照明装置の他の実施の形態の第２の動作モードの側面図および背面図である。
【図９】この発明に係る照明装置の他の実施の形態の第３の動作モードの側面図および背面図である。
【図１０】他の実施の形態において使用することが可能なセンサースイッチの一例を説明するための略線図である。
【図１１】一般的なホログラフィックステレオグラムの作製方法を説明するための図である。
【図１２】ホログラフィックステレオグラムを作製する際になされる画像処理を説明するための略線図である。
【図１３】先に提案されている照明装置の一例を示す斜視図である。
【符号の説明】
【００４４】
１１・・・電源収納部
１２・・・基板収納部
１３・・・光源収納部
１４・・・切り込み部
１６・・・光源
１９・・・ホログラムカード
２０・・・ホログラフィックステレオグラム
２５・・・ホルダー
【図１】
0004775053.tif 000002
【図２】
0004775053.tif 000003
【図３】
0004775053.tif 000004
【図４】
0004775053.tif 000005
【図５】
0004775053.tif 000006
【図６】
0004775053.tif 000007
【図７】
0004775053.tif 000008
【図８】
0004775053.tif 000009
【図９】
0004775053.tif 000010
【図１０】
0004775053.tif 000011
【図１１】
0004775053.tif 000012
【図１２】
0004775053.tif 000013
【図１３】
0004775053.tif 000014